【事件の表示】
　特願２００１−　４７５２８「ＩＣカードおよびカードリーダ装置」拒絶査定不服審判事件〔平成１４年　９月　６日出願公開、特開２００２−２５１５９４〕について、次のとおり審決する。
【結　論】
　本件審判の請求は、成り立たない。
【理　由】
１．手続きの経緯  
　本願は、平成１３年２月２３日の出願であって、平成１８年１２月１５日付けで拒絶理由通知がなされ、平成１９年３月９日付で手続補正がなされたが、同年５月１日付けで拒絶査定がなされ、これに対して、同年６月１４日に審判請求がなされたが、当審において、平成２１年２月９日付で拒絶理由通知がなされ、同年４月１６日付で手続補正がなされたものである。
　
　
２．本願発明 
　本願の請求項１に係る発明（以下「本願発明」という。）は、平成２１年４月１６日付けの手続補正書により補正された特許請求の範囲の請求項１に記載された、次のとおりのものである。 
　
「カードリーダ装置によって送信される高周波信号をＩＣカード本体に設けられたアンテナ部を介して受信し、その高周波信号を整流して作動用電圧を生成すると共にその高周波信号に重畳されている変調信号を復調することによって前記カードリーダ装置との間で相互に通信可能に構成されたＩＣカードであって、
　前記アンテナ部は、互いに分離した一対の静電容量結合型アンテナで構成されており、
　前記一対の静電容量結合型アンテナは、前記ＩＣカード本体の表面の長手方向の全体に亘って長尺に形成され且つ前記長手方向を横断する方向に沿って所定の間隙を隔てて互いに分離した状態で併設された第１の金属薄膜および第２の金属薄膜と、前記ＩＣカード本体の裏面の長手方向の全体に亘って長尺に形成され且つ前記長手方向を横断する方向に沿って所定の間隙を隔てて互いに分離した状態で併設された第３の金属薄膜および第４の金属薄膜とを備えて構成され、前記第１の金属薄膜および第３の金属薄膜は、当該ＩＣカード本体を挟んで互いに対向させられると共に互いに接続されて一方の前記静電容量結合型アンテナを構成し、前記第２の金属薄膜および第４の金属薄膜は、当該ＩＣカード本体を挟んで互いに対向させられると共に互いに接続されて他方の前記静電容量結合型アンテナを構成すると共に、
　前記第１の金属薄膜および第２の金属薄膜は、前記ＩＣカード本体の表面において、前記ＩＣカードの前記カードリーダ装置への挿入方向に沿って併設されており、
　前記第３の金属薄膜および第４の金属薄膜は、前記ＩＣカード本体の裏面において、前記ＩＣカードの前記カードリーダ装置への挿入方向に沿って併設されていることを特徴とするＩＣカード。」
　
　
３．引用発明
　当審による平成２１年２月９日付けの拒絶理由に引用された刊行物である特開昭６３−３９３９６号公報（以下「引用文献１」という。）には、図面とともに以下の事項が記載されている。
　
（あ）「（実施例）
　第１図は本発明の実施例を示す容量結合挿入方向自由形の情報カードの構成ブロック図である。
　第１図において、１０は外部装置であり、この外部装置１０には情報カード２０が挿入されている。
　外部装置１０は送受信回路１１と、電力伝送および信号伝送共用の一対の容量結合用極板１２−１，１２−３とを有している。送受信回路１１は、例えば入力信号Ｓｉに基づき変調された交流電力ＰＳを極板１２−１に与える変調回路を有すると共に、極板１２−１を通して与えられる伝送用信号を復調して出力信号Ｓｏを送出する復調回路等を備えている。ここで、一方の極板１２−２は接地され、帰線ループを構成している。」（公報３頁左上欄１０行〜右上欄４行）
　
（い）「一方、情報カード２０は、プラスチック等で作られたほぼ矩形状のカード本体２１を有し、そのカード本体２１内には、外部装置１０側の各極板１２−１，１２−２と対向する電力伝送および信号伝送共用の一対の容量結合用極板２２−１，２２−２が設けられると共に、ＩＣ２３が収納されている。ＩＣ２３内には、極板２２−１に接続された送受信回路２４、メモリ制御回路２５、及びメモリ２６が設けられている。
　送受信回路２４は例えば、極板２２−１を通して入力される伝送用信号を安定化した直流電圧Ｖｄｃに変換してＩＣ２３内の各回路に電源として供給する電源回路、前記伝送用信号を復調してもとの入力信号Ｓｉを生成しそれをメモリ制御回路２５に与える復調回路、およびメモリ制御回路２５の出力信号Ｓｏを伝送用信号に変換して極板２２−１に与える変調回路を備えている。ここで、一方の極板２２−２は接地され、帰線ループを構成している。メモリ制御回路２５は、例えばマイクロプロセッサで構成され、メモリ２６の読出しや書込み制御を行なったり、データの直並列変換等を行なう回路である。メモリ２６は各種の情報を記憶する媒体であり、読出し専用メモリ（ＲＯＭ）、書込み可能なＲＯＭ（ＰＲＯＭ）、電気的消去書込み可能なＲＯＭ（ＥＥＰＲＯＭ）、紫外線消去および書込み可能なＲＯＭ（ＥＰＲＯＭ）等で構成されている。」（公報３頁右上欄５行〜左下欄８行）
　
（う）「第４図及び第５図は第１図における情報カードの実装例を示す平面図である。第４図の情報カード２０では、カード本体２１の長辺方向の中心線Ｘと短辺方向の中心線Ｙとの交点を中心点として、中心線Ｙ上の対称位置に同一矩形状の一対の極板２２−１，２２−２が配設されている。また、第５図の情報カード２０では、カード本体２１の中心線Ｘ，Ｙの交点を中心点として、中心線Ｘ上の対称位置に同一矩形状の一対の極板２２−１，２２−２が配設されている。これらの各極板２２−１，２２−２に対応して外部装置１０側の各極板１２−１，１２−２も同じように配置されている。」（公報３頁左下欄９行〜２０行）
　
（え）「次に動作について説明する。
　外部装置１０における入力信号Ｓｉは、情報カード２０側におけるメモリ制御回路２５のイニシャルセット（初期設定）、情報の読出しや書込み等の制御信号、さらにメモリ２６に書込むべき信号等をシリアル（直列）化したものである。
　このような外部装置１０に情報カード２０を挿入すると、外部装置１０側の交流電力ＰＳ及び入力信号Ｓｉが送受信回路１１で伝送用信号に変換され、極板１２−１，１２−２，２２−１，２２−２の容量結合により情報カード２０側の送受信回路２４へ伝送される。」（公報３頁左下欄２０行〜右下欄１０行）
　
（お）「送受信回路２４は極板２２−１，２２−２の出力を安定化された直流電圧Ｖｄｃに変換してカード本体２１内の各回路に電源として供給すると共に、極板２２−１，２２−２の出力から信号分のみを復調してメモリ制御回路２５に与える。すると、メモリ制御回路２５では、その入力信号に含まれている情報、例えば書込み情報に基づきアドレスを指定してメモリ２６へ情報を書込んだ後、その書込み完了信号を送受信回路２４に与える。送受信号回路２４はメモリ制御回路２５の出力信号を伝送用信号に変調し、それを極板２２−１，２２−２，１２−１，１２−２を通して外部装置１０側の送受信回路１１に与える。」（公報３頁右下欄１１行〜４頁左上欄２行）
　
（か）「送受信回路１１は入力された伝送用信号を復調し、メモリ２６の読出し情報や、情報カード内部の動作確認信号等をシリアル化した出力信号Ｓｏを送出する。」（公報４頁左上欄３行〜左上欄６行）
　
（き）「情報カード２０側の極板２２−１，２２−２はカード本体２１の中心線Ｘ，Ｙに対して対称的に配置されているため、情報カード２０をどの方向、すなわち上下、左右、表裏を逆にして外部装置１０へ挿入しても動作が可能である。このように情報カード２０の挿入方向に制限を受けないので、使い勝手が向上する。
　なお、本発明は図示の実施例に限定されず、種々の変形が可能である。例えば、極板２２−１，２２−２を円形等の他の形状にしたり、その配置状態を図示以外のものに変形したり、あるいはＩＣ２３内の回路構成をハイブリッド方式等の他のものに変形することも可能である。」（公報４頁右上欄１５行〜左下欄７行）
　
　
　上記（あ）「第１図は本発明の実施例を示す容量結合挿入方向自由形の情報カードの構成ブロック図である。」の記載と、
　上記（い）「情報カード２０は、プラスチック等で作られたほぼ矩形状のカード本体２１を有し、そのカード本体２１内には、外部装置１０側の各極板１２−１，１２−２と対向する電力伝送および信号伝送共用の一対の容量結合用極板２２−１，２２−２が設けられると共に、ＩＣ２３が収納されている。ＩＣ２３内には、極板２２−１に接続された送受信回路２４、メモリ制御回路２５、及びメモリ２６が設けられている。
　送受信回路２４は例えば、極板２２−１を通して入力される伝送用信号を安定化した直流電圧Ｖｄｃに変換してＩＣ２３内の各回路に電源として供給する電源回路、前記伝送用信号を復調してもとの入力信号Ｓｉを生成しそれをメモリ制御回路２５に与える復調回路、およびメモリ制御回路２５の出力信号Ｓｏを伝送用信号に変換して極板２２−１に与える変調回路を備えている。」の記載と、
　上記（え）「外部装置１０に情報カード２０を挿入すると、外部装置１０側の交流電力ＰＳ及び入力信号Ｓｉが送受信回路１１で伝送用信号に変換され、極板１２−１，１２−２，２２−１，２２−２の容量結合により情報カード２０側の送受信回路２４へ伝送される。」の記載と、
　上記（お）「送受信回路２４は極板２２−１，２２−２の出力を安定化された直流電圧Ｖｄｃに変換してカード本体２１内の各回路に電源として供給すると共に、極板２２−１，２２−２の出力から信号分のみを復調してメモリ制御回路２５に与える。　　・・・・＜中略＞・・・・　送受信号回路２４はメモリ制御回路２５の出力信号を伝送用信号に変調し、それを極板２２−１，２２−２，１２−１，１２−２を通して外部装置１０側の送受信回路１１に与える。」の記載および図１からすると、
　情報カード２０は、ほぼ矩形状のカード本体２１を有し、そのカード本体２１内には、外部装置１０側の各極板１２−１，１２−２と対向する電力伝送および信号伝送共用の一対の容量結合用極板２２−１，２２−２が設けられると共に、極板２２−１に接続された送受信回路２４、メモリ制御回路２５、及びメモリ２６が設けられたＩＣ２３が収納され、
　送受信回路２４は、極板２２−１を通して入力される伝送用信号を安定化した直流電圧Ｖｄｃに変換してＩＣ２３内の各回路に電源として供給する電源回路、伝送用信号を復調してもとの入力信号Ｓｉを生成しそれをメモリ制御回路２５に与える復調回路、およびメモリ制御回路２５の出力信号Ｓｏを伝送用信号に変換して極板２２−１に与える変調回路とを備え、
　外部装置１０に情報カード２０が挿入されると、外部装置１０側の交流電力ＰＳ及び入力信号Ｓｉが送受信回路１１で伝送用信号に変換され、極板１２−１，１２−２，２２−１，２２−２の容量結合により情報カード２０側の送受信回路２４へ伝送され、
　送受信号回路２４は、極板２２−１，２２−２の出力を安定化された直流電圧Ｖｄｃに変換してカード本体２１内の各回路に電源として供給すると共に、極板２２−１，２２−２の出力から信号分のみを復調してメモリ制御回路２５に与え、メモリ制御回路２５の出力信号を伝送用信号に変調し、それを極板２２−１，２２−２，１２−１，１２−２を通して外部装置１０側の送受信回路１１に与える容量結合挿入方向自由形の情報カードが記載されている。
　
　上記（う）「第４図の情報カード２０では、カード本体２１の長辺方向の中心線Ｘと短辺方向の中心線Ｙとの交点を中心点として、中心線Ｙ上の対称位置に同一矩形状の一対の極板２２−１，２２−２が配設されている。　・・・・＜中略＞・・・・　これらの各極板２２−１，２２−２に対応して外部装置１０側の各極板１２−１，１２−２も同じように配置されている。」の記載と、
　上記（き）「情報カード２０側の極板２２−１，２２−２はカード本体２１の中心線Ｘ，Ｙに対して対称的に配置されているため、情報カード２０をどの方向、すなわち上下、左右、表裏を逆にして外部装置１０へ挿入しても動作が可能である。このように情報カード２０の挿入方向に制限を受けないので、使い勝手が向上する。」および図４からすると、
　極板２２−１，２２−２は、カード本体２１の長辺方向の中心線Ｘと短辺方向の中心線Ｙとの交点を中心点として、中心線Ｙ上の対称位置に配設された同一矩形状の一対の極板であって、極板２２−１，２２−２をカード本体２１の中心線Ｘ，Ｙに対して対称的に配置することにより、情報カード２０を上下、左右、表裏を逆にして外部装置１０へ挿入しても動作が可能であることが記載されている。
　
　以上より、上記（あ）〜（き）の記載および図１，図４を参酌すると、引用文献１には、次の発明（以下「引用発明」という。）が記載されている。
　
　情報カード２０は、ほぼ矩形状のカード本体２１を有し、そのカード本体２１内には、外部装置１０側の各極板１２−１，１２−２と対向する電力伝送および信号伝送共用の一対の容量結合用極板２２−１，２２−２が設けられると共に、極板２２−１に接続された送受信回路２４、メモリ制御回路２５、及びメモリ２６が設けられたＩＣ２３が収納され、
　送受信回路２４は、極板２２−１を通して入力される伝送用信号を安定化した直流電圧Ｖｄｃに変換してＩＣ２３内の各回路に電源として供給する電源回路、伝送用信号を復調してもとの入力信号Ｓｉを生成しそれをメモリ制御回路２５に与える復調回路、およびメモリ制御回路２５の出力信号Ｓｏを伝送用信号に変換して極板２２−１に与える変調回路とを備え、
　外部装置１０に情報カード２０が挿入されると、外部装置１０側の交流電力ＰＳ及び入力信号Ｓｉが送受信回路１１で伝送用信号に変換され、極板１２−１，１２−２，２２−１，２２−２の容量結合により情報カード２０側の送受信回路２４へ伝送され、
　送受信号回路２４は、極板２２−１，２２−２の出力を安定化された直流電圧Ｖｄｃに変換してカード本体２１内の各回路に電源として供給すると共に、極板２２−１，２２−２の出力から信号分のみを復調してメモリ制御回路２５に与え、メモリ制御回路２５の出力信号を伝送用信号に変調し、それを極板２２−１，２２−２，１２−１，１２−２を通して外部装置１０側の送受信回路１１に与える容量結合挿入方向自由形の情報カードであって、
　極板２２−１，２２−２は、カード本体２１の長辺方向の中心線Ｘと短辺方向の中心線Ｙとの交点を中心点として、中心線Ｙ上の対称位置に配設された同一矩形状の一対の極板であり、極板２２−１，２２−２をカード本体２１の中心線Ｘ，Ｙに対して対称的に配置することによって、情報カード２０を上下、左右、表裏を逆にして外部装置１０へ挿入しても動作が可能であることを特徴とする情報カード。
　
　
４．対比
　ここで、本願発明と引用発明とを対比する。
　
　引用発明の「カード本体２１」「外部装置１０」「一対の容量結合用極板２２−１，２２−２」「入力信号Ｓｉ」は、それぞれ、
　本願発明の「ＩＣカード本体」「カードリーダ装置」「互いに分離した一対の静電容量結合型アンテナ」「変調信号」に相当する。
　
　引用発明において、情報カードには「カード本体２１内には、外部装置１０側の各極板１２−１，１２−２と対向する電力伝送および信号伝送共用の一対の容量結合用極板２２−１，２２−２が設けられ」、そして、「外部装置１０側の交流電力ＰＳ及び入力信号Ｓｉ」が、「極板１２−１，１２−２，２２−１，２２−２の容量結合により情報カード２０側の送受信回路２４へ伝送され」ていることから、
　引用発明の情報カードは、外部装置から送信される伝送用信号をカード本体に設けられた一対の容量結合用極板２２−１，２２−２を介して受信していることは明らかである。
　したがって、引用発明の情報カードは、外部装置から送信される送信信号が伝送用信号である点を除けば、本願発明の「カードリーダ装置によって送信される高周波信号をＩＣカード本体に設けられたアンテナ部を介して受信し、」に相当する構成を含むものである。
　
　引用発明の情報カードは、「極板２２−１に接続された送受信回路２４、メモリ制御回路２５、及びメモリ２６が設けられたＩＣ２３が収納され」たカードであるから、
　本願発明の「ＩＣカード」に相当する。
　
　引用発明において、情報カードの送受信回路は「極板２２−１を通して入力される伝送用信号を安定化した直流電圧Ｖｄｃに変換してＩＣ２３内の各回路に電源として供給する電源回路、伝送用信号を復調してもとの入力信号Ｓｉを生成しそれをメモリ制御回路２５に与える復調回路、およびメモリ制御回路２５の出力信号Ｓｏを伝送用信号に変換して極板２２−１に与える変調回路とを備え」、外部装置１０に情報カード２０が挿入されると、「外部装置１０側の交流電力ＰＳ及び入力信号Ｓｉが送受信回路１１で伝送用信号に変換され、極板１２−１，１２−２，２２−１，２２−２の容量結合により情報カード２０側の送受信回路２４へ伝送され、送受信号回路２４は、極板２２−１，２２−２の出力を安定化された直流電圧Ｖｄｃに変換してカード本体２１内の各回路に電源として供給すると共に、極板２２−１，２２−２の出力から信号分のみを復調してメモリ制御回路２５に与え、メモリ制御回路２５の出力信号を伝送用信号に変調し、それを極板２２−１，２２−２，１２−１，１２−２を通して外部装置１０側の送受信回路１１に与え」ていることから、
　引用発明の情報カードは、極板２２−１，２２−２を介して受信した伝送用信号を整流して直流電圧を生成すると共にその伝送用信号に重畳されている入力信号を復調することによって外部装置との間で相互に通信可能に構成されていることは明らかである。
　したがって、引用発明の情報カードは、外部装置から送信される送信信号が伝送用信号である点を除けば、本願発明の「その高周波信号を整流して作動用電圧を生成すると共にその高周波信号に重畳されている変調信号を復調することによって前記カードリーダ装置との間で相互に通信可能に構成されたＩＣカード」に相当する構成を含むものである。
　
　引用発明の極板２２−１，２２−２は「カード本体２１の長辺方向の中心線Ｘと短辺方向の中心線Ｙとの交点を中心点として、中心線Ｙ上の対称位置に配設された同一矩形状の一対の極板」であって、「カード本体２１の中心線Ｘ，Ｙに対して対称的に配置」されていることから、
　極板２２−１，２２−２は、カード本体の長手方向に亘って長尺に形成され且つ前記長手方向を横断する方向に沿って所定の間隙を隔てて互いに分離した状態で併設されているものである。
　したがって、引用発明の「一対の容量結合用極板２２−１，２２−２」と、本願発明の「一対の静電容量結合型アンテナ」とは、カード本体の長手方向に亘って長尺に形成され且つ前記長手方向を横断する方向に沿って所定の間隙を隔てて互いに分離した状態で併設されている点で共通している。
　
　よって、本願発明と引用発明とは、以下の点で一致し、また相違している。
　
（一致点）
　カードリーダ装置によって送信される送信信号をＩＣカード本体に設けられたアンテナ部を介して受信し、その送信信号を整流して作動用電圧を生成すると共にその送信信号に重畳されている変調信号を復調することによって前記カードリーダ装置との間で相互に通信可能に構成されたＩＣカードであって、
　前記アンテナ部は、互いに分離した一対の静電容量結合型アンテナで構成されており、
　前記一対の静電容量結合型アンテナは、カード本体の長手方向に亘って長尺に形成され且つ前記長手方向を横断する方向に沿って所定の間隙を隔てて互いに分離した状態で併設されていることを特徴とするＩＣカード。
　
（相違点１）
　カードリーダ装置によって送信される送信信号が、
　本願発明は「高周波信号」であるのに対し、
　引用発明は「伝送用信号」である点。
　
（相違点２）
　一対の静電容量結合型アンテナの構成が、
　本願発明は「前記ＩＣカード本体の表面の長手方向の全体に亘って長尺に形成され且つ前記長手方向を横断する方向に沿って所定の間隙を隔てて互いに分離した状態で併設された第１の金属薄膜および第２の金属薄膜と、前記ＩＣカード本体の裏面の長手方向の全体に亘って長尺に形成され且つ前記長手方向を横断する方向に沿って所定の間隙を隔てて互いに分離した状態で併設された第３の金属薄膜および第４の金属薄膜とを備えて構成され、前記第１の金属薄膜および第３の金属薄膜は、当該ＩＣカード本体を挟んで互いに対向させられると共に互いに接続されて一方の前記静電容量結合型アンテナを構成し、前記第２の金属薄膜および第４の金属薄膜は、当該ＩＣカード本体を挟んで互いに対向させられると共に互いに接続されて他方の前記静電容量結合型アンテナを構成する」ものであるのに対し、
　引用発明は「極板２２−１，２２−２は、カード本体２１の長辺方向の中心線Ｘと短辺方向の中心線Ｙとの交点を中心点として、中心線Ｙ上の対称位置に配設された同一矩形状の一対の極板であり、極板２２−１，２２−２をカード本体２１の中心線Ｘ，Ｙに対して対称的に配置する」ものである点。
　
（相違点３）
　ＩＣカードのカードリーダ装置への挿入方向に対して、一対の静電容量結合型アンテナが、
　本願発明では「前記ＩＣカードの前記カードリーダ装置への挿入方向に沿って併設されている」のに対し、
　引用発明は「カード本体２１の中心線Ｘ，Ｙに対して対称的に配置することによって、情報カード２０を上下、左右、表裏を逆にして外部装置１０へ挿入しても動作が可能である」ようにしており、カード本体２１の中心線Ｘ，Ｙのいずれの方向を、情報カードの外部装置への挿入方向としているか明らかでない点。
　
　
５．判断
　上記相違点１について検討する。
　当審による平成２１年２月９日付けの拒絶理由に引用された刊行物である特開平１１−２６１４５６号公報（以下「引用文献２」という。）、
「【０００４】
【課題を解決するための手段】本発明では、アンテナのマイクロストリップ線路を構成する誘電体および接地導体，パッチ導体のうち、誘電体およびパッチ導体をＩＣカードの表裏両面に配し、接地導体をこれらの誘電体およびパッチ導体に共通の接地導体とし、マイクロ波の電波を受信して、信号および電力を取り出すレクテナ回路（アンテナおよびダイオードなどの整流器からなる回路）を表裏両面のアンテナに対応して個別に設け、当該ＩＣカードの両面に配したアンテナからの電波をそれぞれ個別送受信回路で検波・整流してデータや電力を取り出せるようにして、データおよび電力として合成して取り出せるようにした。同時に、変調信号を分配して送受信回路に供給できるようにした。」
「【０００６】質問器６から送出されるマイクロ波などの高周波搬送波を変調した下り信号８を照射されたＩＣカード１は、マイクロストリップ・パッチアンテナで共振する搬送波周波数に対して電力を有効に取り出すことができる。この電力を送受信回路３に入力することで送受信回路内の検波・整流のための、ショットキバリヤダイオードおよびコンデンサからなる整流回路を基本回路構成とする回路において搬送波信号を変調する信号を復調し、電力を取り出すと同時にデータおよびクロック信号を取り出す。電力は論理回路４およびメモリ５に供給され、データおよびクロック信号は論理回路に供給され情報処理が行われる。」の記載および図１，図４，図５に記載されているように、ＩＣカードにおいて、マイクロ波の電波を受信して、信号および電力を取り出すことは周知技術である。
　したがって、引用発明の情報カードにおいて、信号および電源を取り出すための伝送用信号を、マイクロ波信号、すなわち、高周波信号とすることは、当業者が容易になし得たことである。 
　よって、相違点１は格別なものではない。 
　
　上記相違点２について検討する。
　当審による平成２１年２月９日付けの拒絶理由に引用された刊行物である特開昭６３−２９２７３４号公報、
「第３図は、本発明に係るマイクロ波遠隔自動認識装置のカード状応答器の第２実施例を示す側面図である。
　第２実施例に係るカード状応答器３０の特徴は、一枚の印刷配線基板１０の両面に受信用マイクロストリップアンテナ１１ａ及び送信用マイクロストリップアンテナ１１ｄを形成した点にある。同図中、右側の面のほぼ中央部には、銅箔を利用した受信用マイクロストリップアンテナ１１ａ及び送信用マイクロストリップアンテナ１１ｄが形成され、これに対向する左側の面の中央部には銅箔を利用した接地面１３が形成されており、また左側の面の下端部寄りには銅箔を利用した別の受信用マイクロストリップアンテナ１１ａ及び送信用マイクロストリップアンテナ１１ｄが形成され、これに対向する右側の面の中央部には銅箔を利用した接地面１３が形成されている。単一のＩＣ搭載部１２及び電池１２ｃを有しており、両受信用マイクロストリップアンテナ１１ａ及び送信用マイクロストリップアンテナ１１ｄはこれらを共用している。このカード状応答器３０によれば、第１実施例に比し、僅小な厚みで、部品点数がぼぼ半減する。なお、ＩＣ搭載部１２を別々に搭載しても良い。」（公報３頁右上欄３行〜左下欄５行）の記載および第３図に記載されているように、カード基板の両面に銅箔を利用した受信用マイクロストリップアンテナ及び送信用マイクロストリップアンテナを形成することは周知技術である。
　また、引用文献２（【００１１】【００１２】段落、図５）に記載されているように、ＩＣカード本体の表面に配設される第１のマイクロストリップ・パッチアンテナとＩＣカード本体の裏面に配設される第２のマイクロストリップ・パッチアンテナを、ＩＣカード本体を挟んで互いに対向させると共に互いにスルーホールパターン接続することも周知技術である。
　そして、引用文献１の「本発明は図示の実施例に限定されず、種々の変形が可能である。例えば、極板２２−１，２２−２を円形等の他の形状にしたり、その配置状態を図示以外のものに変形したりすることも可能である」（公報４頁左下欄２行〜左下欄７行）との記載から、引用発明の極板２２−１，２２−２は、カード本体の長辺方向の全体に亘って長尺の形状にしたりすることも可能であることを勘案すると、
　引用発明において、情報カードの表面および裏面にカード本体の長辺方向の全体に亘って長尺に形成され且つ前記長辺方向の中心線Ｘから所定の間隙を隔てた中心線Ｙ上の対称位置に銅箔を利用して同一矩形状の一対の極板をそれぞれ形成し、表面および裏面に形成された一対の容量結合用極板の一方同士および他方同士を、カード本体を挟んで互いに対向させると共に互いにスルーホールパターン接続することは、当業者が容易になし得たことである。 
　よって、相違点２は格別なものではない。 
　
　上記相違点３について検討する。
　ＩＣカードの長手方向に沿った方向を、ＩＣカードのカードリーダ装置への挿入方向とすることは、当業者が通常採用する技術事項であるから、引用発明において、カード本体２１の長辺方向の中心線Ｘに沿った方向を、情報カードの外部装置への挿入方向とすることは、当業者が容易になしえたことである。
　よって、相違点３は格別なものではない。
　
　上記で検討したように、相違点１乃至３は格別なものではなく、本願発明の構成によってもたらされる効果も、当業者であれば予測可能なものに過ぎず格別なものとは認められない。
　
　
６．むすび
　以上のとおり、本願発明は、引用発明および周知技術に基づいて、当業者が容易に発明をすることができたものであるから、特許法第２９条第２項の規定により特許を受けることができない。
　よって、結論のとおり審決する。